(57)【要約】【課題】給湯暖房装置において、熱源機の燃焼量過多を防止して、オンオフ燃焼制御の燃焼オン・燃焼オフの繰り返し頻度を低減可能なもの等を提供することである。【解決手段】給湯暖房装置３は、暖房運転中に、補助熱源機５の複数の燃焼段の全て又は大部分を使用して燃焼を行うと共に温水暖房端末１０の暖房負荷に応じて補助熱源機５を比例燃焼制御又はオンオフ燃焼制御する大燃焼モードと、この大燃焼モードの燃焼領域よりも狭く且つ非燃焼領域よりも広い燃焼領域に設定する中燃焼モードとを有する制御ユニット４５を備え、制御ユニット４５は、設定期間中におけるオンオフ燃焼制御のオンオフ回数が設定回数を超えた場合、又は、オンオフ燃焼制御の１サイクル時間が設定時間を下回った場合、大燃焼モードから中燃焼モードに切り換える。【選択図】図５
2015158324.tif 000002
【特許請求の範囲】
【請求項１】
熱源機と、この熱源機で燃焼加熱した湯水を循環させる熱利用循環回路と、外部の温水暖房端末に暖房水を循環供給する温水暖房回路と、前記熱利用循環回路と前記温水暖房回路との間で熱交換を行う暖房用熱交換器とを備えた給湯暖房装置において、
暖房運転中に、前記熱源機のバーナーを構成する複数の燃焼段の全て又は大部分を使用して燃焼を行うと共に前記温水暖房端末の暖房負荷に応じて前記熱源機を比例燃焼制御又はオンオフ燃焼制御する大燃焼モードと、この大燃焼モードの燃焼領域よりも狭く且つ非燃焼領域よりも広い燃焼領域に設定する中燃焼モードとを有する温水暖房制御手段を備え、
前記温水暖房制御手段は、設定期間中における前記オンオフ燃焼制御のオンオフ回数が設定回数を超えた場合、又は、前記オンオフ燃焼制御の１サイクル時間が設定時間を下回った場合、前記大燃焼モードから前記中燃焼モードに切り換えることを特徴とする給湯暖房装置。
【請求項２】
湯水を貯留可能な貯湯タンクを備え、
前記温水暖房制御手段は、前記中燃焼モードの燃焼段数を維持した状態で、前記オンオフ燃焼制御のオン期間では、前記熱源機から出力される高温の湯水の一部を前記貯湯タンクの上部に戻し、前記貯湯タンクの下部から低温の湯水を前記熱利用循環回路に供給することで前記熱源機に流入する湯水温度を低下させ、前記オンオフ燃焼制御のオフ期間では、前記貯湯タンクの湯水を前記暖房用熱交換器に循環供給して暖房運転を行う貯湯タンク蓄放熱モードを有し、
前記温水暖房制御手段は、設定期間中における前記オンオフ燃焼制御のオンオフ回数が設定回数を超えた場合、又は、前記オンオフ燃焼制御の１サイクル時間が設定時間を下回った場合、前記中燃焼モードから前記貯湯タンク蓄放熱モードに切り換えることを特徴とする請求項１に記載の給湯暖房装置。
【発明の詳細な説明】
【技術分野】
【０００１】
本発明は給湯暖房装置に関し、特に熱源機の必要燃焼量に応じて比例燃焼制御から燃焼を間欠的に行うオンオフ燃焼制御に切換え可能なものに関する。
【背景技術】
【０００２】
従来から、貯湯、給湯、床暖房パネル等の温水暖房端末への暖房水の供給等の機能を備えた給湯暖房装置が広く一般に普及している。この給湯暖房装置は、外部熱源機又は内部熱源機により加熱された湯水を貯留する貯湯タンク、貯湯タンクの湯水を加熱する補助熱源機、この貯湯タンクに低温の上水を供給する給水系通路、貯湯タンクに貯留された湯水を給湯栓等の所望の給湯先に供給する給湯系通路、暖房水を温水暖房端末に循環供給する温水暖房回路、温水暖房回路の暖房水を加熱する熱利用循環回路等を備えている。
【０００３】
熱利用循環回路と温水暖房回路との間には、暖房用熱交換器が設置されている。暖房運転時、補助熱源機によって加熱された湯水は、熱利用循環回路を流れて暖房用熱交換器を介して温水暖房回路を流れる暖房水を加熱し、この加熱された暖房水は、温水暖房端末に循環供給される。一般的に、補助熱源機を燃焼させて湯水を加熱する場合、補助熱源機に流入する湯水温度を検出し、この湯水温度に応じて補助熱源機から設定温度の湯水が出力されるように補助熱源機の燃焼量を比例燃焼制御している。
【０００４】
ところで、暖房運転時に温水暖房端末の暖房負荷が低く、補助熱源機に戻る湯水温度が低下しない場合（補助熱源機から出力される湯水温度と補助熱源機に流入する湯水温度との温度差が小さい場合）、上記の比例燃焼制御の範囲内の最小燃焼量よりも低い燃焼量で湯水を加熱する必要性が生じる。この場合、比例燃焼制御から補助熱源機の燃焼を間欠的に行うオンオフ燃焼制御に切り換えて湯水の加熱を行う。しかし、補助熱源機をオンオフ燃焼制御して間欠的な燃焼を行っても燃焼量過多になる場合がある。
【０００５】
そこで、上記の問題を解決するために、例えば、特許文献１の温水暖房システムの燃焼制御方法では、通常比例燃焼範囲で比例燃焼させる通常比例燃焼モードと、通常比例燃焼範囲の最小燃焼量よりも低い拡張最小燃焼量を設定した拡張比例燃焼範囲で比例燃焼させる拡張比例燃焼モードとを備え、熱源機のオンオフ燃焼制御の燃焼オン・燃焼オフの１サイクル時間が短くなった場合、通常比例燃焼モードから拡張比例燃焼モードに切換え、燃焼量を更に低減することで、１サイクル時間を延ばす技術が開示されている。
【先行技術文献】
【特許文献】
【０００６】
【特許文献１】特許４２２２２７１号公報
【発明の概要】
【発明が解決しようとする課題】
【０００７】
特許文献１の熱源機には、出力能力の低い単機能のものが使用され、暖房運転時にバーナーを構成する複数の燃焼管の全てを使用して比例燃焼しているが、暖房機能に加えて給湯機能や風呂追焚機能等を備えた給湯暖房装置の場合、熱源機には、出力能力の高い複数の燃焼段を備えたものが使用される。このため、給湯暖房装置において暖房運転を単独で実行する場合、熱源機の全ての燃焼段を燃焼すると、燃焼量が多くなり過ぎるので、燃焼段の段数（燃焼管の燃焼本数）を低減して比例燃焼制御することが望ましい。
【０００８】
しかし、熱源機の燃焼段の段数（燃焼管の燃焼本数）を低減すると、燃焼段の非燃焼部分から加熱されていない空気が湯水加熱用の熱交換器に供給されて冷却されるため、熱交換効率が悪化するという問題がある。この問題を解決する為に、燃焼段の段数（燃焼管の燃焼本数）を増やして燃焼を行いたいが、燃焼領域を増やすと直ぐに燃焼量過多で燃焼オン、燃焼オフを繰り返すことになり、熱源機の耐久性が低下する。一方で、燃焼領域を増やした上で燃焼量を低くすると、バーナーで発生する火炎の長さが極端に短くなり、安定した燃焼状態を維持するのが困難になる。特許文献１の単機能の熱源機も同様に、燃焼量を低くしていくと安定した燃焼状態を維持するのが困難になる。
【０００９】
本発明の目的は、給湯暖房装置において、熱源機の燃焼量過多を防止して、オンオフ燃焼制御の燃焼オン・燃焼オフの繰り返し頻度を低減可能なもの、熱源機の熱交換効率の極端な低下を防止可能なもの、安定した燃焼状態を維持可能なもの、等を提供することである。
【課題を解決するための手段】
【００１０】
請求項１の給湯暖房装置は、熱源機と、この熱源機で燃焼加熱した湯水を循環させる熱利用循環回路と、外部の温水暖房端末に暖房水を循環供給する温水暖房回路と、前記熱利用循環回路と前記温水暖房回路との間で熱交換を行う暖房用熱交換器とを備えた給湯暖房装置において、暖房運転中に、前記熱源機のバーナーを構成する複数の燃焼段の全て又は大部分を使用して燃焼を行うと共に前記温水暖房端末の暖房負荷に応じて前記熱源機を比例燃焼制御又はオンオフ燃焼制御する大燃焼モードと、この大燃焼モードの燃焼領域よりも狭く且つ非燃焼領域よりも広い燃焼領域に設定する中燃焼モードとを有する温水暖房制御手段を備え、前記温水暖房制御手段は、設定期間中における前記オンオフ燃焼制御のオンオフ回数が設定回数を超えた場合、又は、前記オンオフ燃焼制御の１サイクル時間が設定時間を下回った場合、前記大燃焼モードから前記中燃焼モードに切り換えることを特徴としている。
【００１１】
請求項２の給湯暖房装置は、請求項１の発明において、湯水を貯留可能な貯湯タンクを備え、前記温水暖房制御手段は、前記中燃焼モードの燃焼段数を維持した状態で、前記オンオフ燃焼制御のオン期間では、前記熱源機から出力される高温の湯水の一部を前記貯湯タンクの上部に戻し、前記貯湯タンクの下部から低温の湯水を前記熱利用循環回路に供給することで前記熱源機に流入する湯水温度を低下させ、前記オンオフ燃焼制御のオフ期間では、前記貯湯タンクの湯水を前記暖房用熱交換器に循環供給して暖房運転を行う貯湯タンク蓄放熱モードを有し、前記温水暖房制御手段は、設定期間中における前記オンオフ燃焼制御のオンオフ回数が設定回数を超えた場合、又は、前記オンオフ燃焼制御の１サイクル時間が設定時間を下回った場合、前記中燃焼モードから前記貯湯タンク蓄放熱モードに切り換えることを特徴としている。
【発明の効果】
【００１２】
請求項１の発明によれば、温水暖房制御手段は、設定期間中におけるオンオフ燃焼制御のオンオフ回数が設定回数を超えた場合、又は、オンオフ燃焼制御の１サイクルが設定時間を下回った場合、大燃焼モードから中燃焼モードに切り換えるので、温水暖房端末の暖房負荷が低く、オンオフ燃焼制御の１サイクル時間が短くなって燃焼オン・燃焼オフが頻繁に繰り返される状態になる前に、熱源機の燃焼量を自動的に低下させることができる。
【００１３】
従って、熱源機の燃焼量を低下させることで、燃焼オン状態のオン期間を延ばし、オンオフ燃焼制御の１サイクル時間を延ばすことができ、燃焼オン・燃焼オフの繰り返し頻度が低減されるので、熱源機の耐久性の低下を防止すると共に、中燃焼モードでは、大燃焼モードの燃焼領域よりも狭く且つ非燃焼領域よりも広い燃焼領域に設定するので、熱源機の熱交換効率の極端な低下を防止することができる。
【００１４】
請求項２の発明によれば、貯湯タンク蓄放熱モードによる暖房運転時、オンオフ燃焼制御のオン期間では、熱源機から出力される高温の湯水の一部を貯湯タンクの上部に戻し、貯湯タンクの下部から低温の湯水を熱利用循環回路に供給することで熱源機に流入する湯水温度を低下させるので、熱源機の燃焼量を維持しつつ、燃焼オン状態のオン期間を延ばすことができ、熱源機の燃焼量を極端に低くする必要がないので、安定した燃焼状態を維持することができる。
【００１５】
さらに、貯湯タンク蓄放熱モードによる暖房運転時、オンオフ燃焼制御のオフ期間では、貯湯タンクの湯水を暖房用熱交換器に循環供給して暖房運転を行うので、熱源機に流入する湯水温度の急激な低下を防止することで、燃焼オフ状態のオフ期間を延ばすことができる。即ち、中燃焼モードの燃焼段数を維持した状態で、貯湯タンクを高温の湯水のバッファとして利用することで、オンオフ燃焼制御の１サイクル時間を延ばすことができる。
【００１６】
加えて、温水暖房制御手段は、設定期間中におけるオンオフ燃焼制御のオンオフ回数が設定回数を超えた場合、又は、オンオフ燃焼制御の１サイクル時間が設定時間を下回った場合、中燃焼モードから貯湯タンク蓄放熱モードに切り換えるので、中燃焼モードでオンオフ燃焼制御の燃焼オン・燃焼オフが頻繁に繰り返されるようになると、貯湯タンクを利用して１サイクル時間を延ばす制御を自動的に行える。
【図面の簡単な説明】
【００１７】
【図１】本発明の実施例に係る給湯暖房装置が組み込まれたコージェネレーションシステムの概略構成図である。
【図２】給湯暖房装置の概略構成図である。
【図３】貯湯タンク蓄放熱モードによる暖房運転時の燃焼オン状態における給湯暖房装置の概略構成図である。
【図４】貯湯タンク蓄放熱モードによる暖房運転時の燃焼オフ状態における給湯暖房装置の概略構成図である。
【図５】暖房運転制御のフローチャートである。
【発明を実施するための形態】
【００１８】
以下、本発明を実施するための形態について実施例に基づいて説明する。
【実施例】
【００１９】
先ずは、本発明の給湯暖房装置３の全体構成について説明する。
図１〜図４に示すように、給湯暖房装置３は、貯湯、給湯、浴槽への給湯及び浴槽の追焚き、床暖房パネル等の温水暖房端末１０への暖房水の供給等の機能を有するものであり、貯湯タンク４、補助熱源機５、風呂熱利用熱交換器６、暖房熱利用熱交換器７、給水系通路８、給湯系通路９、注湯通路１１、風呂追焚回路１２、温水暖房回路１３、熱利用循環回路１４、排熱回収循環回路１５、制御ユニット４５等を備え、これら大部分は外装ケース１６内に一体的に収納されている。
【００２０】
尚、図１に示すように、給湯暖房装置３は、外部熱源機として貯湯タンク４内の湯水を加熱可能な燃料電池発電装置２と、この燃料電池発電装置２と給湯暖房装置３との間に湯水を循環させる為の排熱回収循環回路１５等と組み合わせることで燃料電池コージェネレーションシステム１が構成されるが、給湯暖房装置３以外の構成の詳細な説明は省略する。
【００２１】
次に、貯湯タンク４について説明する。
貯湯タンク４は、外部熱源機で加熱された高温の湯水（例えば、６５〜９０℃）を貯留可能な密閉タンクで構成され、貯留された湯水の放熱を防ぐ為にタンク周囲は断熱材で覆われている。貯湯タンク４の外周部には、下側から上側に向かって等間隔に複数の湯水温度検出センサ４ａ〜４ｄが順に設けられ、これら複数の湯水温度検出センサ４ａ〜４ｄにより貯湯タンク４内の複数の貯留層の湯水温度が検出される。
【００２２】
次に、補助熱源機５について説明する。
補助熱源機５（熱源機に相当する）は、バーナーや熱交換器等を内蔵した公知のガス給湯器で構成されている。補助熱源機５は、追焚き運転時、暖房運転時、給湯運転時に貯湯タンク４内の湯水温度が低下した場合等の特別な場合に限り、制御ユニット４５から指令が送信されて燃焼作動され、湯水を加熱するものである。
【００２３】
補助熱源機５は、燃焼用空気を供給する為の送風ファン５ａ、燃料ガスを燃焼させる多段式のバーナーユニット５ｂ、燃焼ガスの主として顕熱を回収する顕熱回収用熱交換器５ｃ、顕熱回収後の燃焼排気ガスの主として潜熱を回収する潜熱回収用熱交換器５ｄ、潜熱回収用熱交換器５ｄで発生したドレン水を回収するドレン水回収部５ｅ等を備えている。
【００２４】
バーナーユニット５ｂは、複数段の（例えば５段）の燃焼段を備えた多段式に構成されている。各燃焼段は、例えば３本の燃焼管を備え、制御ユニット４５によって単独で制御可能であり、各種の運転に応じて燃焼作動される燃焼段の段数が調整される。
【００２５】
次に、風呂熱利用熱交換器６と暖房熱利用熱交換器７について説明する。
風呂熱利用熱交換器６は、風呂追焚回路１２を流れる浴槽水を加熱するものであり、熱利用循環回路１４の一部となる１次側熱交換通路部６ａ、風呂追焚回路１２の一部となる２次側熱交換通路部６ｂを有している。風呂熱利用熱交換器６において、熱利用循環回路１４を流れる高温の湯水と風呂追焚回路１２を流れる浴槽水との間で熱交換され、浴槽水は加熱される。
【００２６】
暖房熱利用熱交換器７は、温水暖房回路１３を流れる暖房水を加熱するものであり、熱利用循環回路１４の一部となる１次側熱交換通路部７ａ、温水暖房回路１３の一部となる２次側熱交換通路部７ｂを有している。暖房熱利用熱交換器７において、熱利用循環回路１４を流れる高温の湯水と温水暖房回路１３を流れる暖房水との間で熱交換され、暖房水は加熱される。
【００２７】
次に、給水系通路８について説明する。
給水系通路８は、上水源から低温の上水を貯湯タンク４等に供給するものであり、上流給水通路部８ａ、中間給水通路部８ｂ、下流給水通路部８ｃを有し、上流端が上水源に接続され、下流端が貯湯タンク４の下部に接続されている。上流給水通路部８ａには、減圧弁８ｄが設置され、中間給水通路部８ｂには、逆止弁８ｅが設置されている。
【００２８】
上流給水通路部８ａと中間給水通路部８ｂとの間から給湯系通路９に接続するバイパス通路部１７が分岐されている。バイパス通路部１７には、逆止弁１７ａが設置されている。中間給水通路部８ｂと下流給水通路部８ｃとの間から熱利用循環回路１４に接続するバイパス通路部１８が分岐されている。この分岐部には、蓄熱切換弁１９が設置されている。このバイパス通路部１８により、低温の上水を熱利用循環回路１４に供給することができ、また逆に、熱利用循環回路１４から湯水を貯湯タンク４に戻すことができる。
【００２９】
次に、給湯系通路９について説明する。
給湯系通路９は、貯湯タンク４に貯湯された湯水を風呂等の所望の給湯先に供給するものであり、給湯栓に接続される給湯通路２１、貯湯タンク４の上部から給湯通路２１に接続されるタンク出湯通路２２、このタンク出湯通路２２から分岐され燃焼式の補助熱源機５に接続される補助加熱通路２３、補助熱源機５から給湯通路２１に接続される補助熱源機出湯通路２４等を有している。
【００３０】
給湯通路２１は、高温の湯水が流れる上流給湯通路部２１ａ、混合湯水が流れる中間給湯通路部２１ｂ及び下流給湯通路部２１ｃを有し、上流端がタンク出湯通路２２に接続され、下流端が給湯栓に接続されている。
【００３１】
上流給湯通路部２１ａと中間給湯通路部２１ｂとの間に混合弁２５が設置されている。この混合弁２５に給水系通路８から分岐したバイパス通路部１７が接続されている。混合弁２５は、出湯温度が指令温度になるように低温の上水と高温の湯水の混合比を制御するものである。中間給湯通路部２１ｂには、流量センサ２１ｄと出湯水比例弁２６が設置されている。バイパス通路部１７から分岐した分岐通路部２７が中間給湯通路部２１ｂに接続され、分岐通路部２７には、高温出湯回避電磁弁２８が設置されている。
【００３２】
タンク出湯通路２２は、上流出湯通路部２２ａ、下流出湯通路部２２ｂを有し、上流端が貯湯タンク４の上部に接続され、下流端が給湯通路２１に接続されている。上流出湯通路部２２ａと下流出湯通路部２２ｂとの間から補助加熱通路２３が分岐されている。
【００３３】
補助加熱通路２３は、上流加熱通路部２３ａ、下流加熱通路部２３ｂを有し、上流端がタンク出湯通路２２に接続され、下流端が補助熱源機５の導入口に接続されている。上流加熱通路部２３ａには、逆止弁２３ｃが設置され、下流加熱通路部２３ｂには、補助熱源機５に流入する湯水温度を検出する湯水温度検出センサ２３ｅと、圧送ポンプ２９と、流量センサ２３ｄとが設置されている。
【００３４】
上流加熱通路部２３ａと下流加熱通路部２３ｂとの間にタンク出湯通路２２と補助加熱通路２３とを切換え可能な三方弁３１が設置されている。三方弁３１には、熱利用循環回路１４の湯水戻り側通路部１４ｄも接続されている。この三方弁３１は、上流加熱通路部２３ａと下流加熱通路部２３ｂとの間の接続・遮断及び下流加熱通路部２３ｂと湯水戻り側通路部１４ｄとの間の接続・遮断を切換え可能なものであり、上流加熱通路部２３ａと下流加熱通路部２３ｂと湯水戻り側通路部１４ｄの全ての通路部を接続可能である。
【００３５】
補助熱源機出湯通路２４は、上流補助出湯通路部２４ａ、下流補助出湯通路部２４ｂを有し、上流端が補助熱源機５の導出口に接続され、下流端が給湯通路２１の上流端に接続されている。上流補助出湯通路部２４ａと下流補助出湯通路部２４ｂとの間から熱利用循環回路１４の湯水往き側通路部１４ａが分岐されている。上流補助出湯通路部２４ａには、補助熱源機５から出力される湯水温度を検出可能な湯水温度検出センサ２４ｃが設置され、下流補助出湯通路部２４ｂには、タンク水比例弁３２が設置されている。
【００３６】
次に、注湯通路１１について説明する。
注湯通路１１は、給湯通路２１を流れる湯水を浴槽へ供給するものであり、出湯水比例弁２６の下流側であって中間給湯通路部２１ｂと下流給湯通路部２１ｃとの間から分岐されて風呂追焚回路１２の途中部に接続されている。注湯通路１１には、流量センサ１１ａ、注湯電磁弁３３等が設置されている。
【００３７】
次に、風呂追焚回路１２について説明する。
風呂追焚回路１２は、浴槽の浴槽水を追焚きする為に浴槽水を循環させる回路であり、風呂戻り側通路部１２ａ、風呂往き側通路部１２ｂを有している。風呂戻り側通路部１２ａと風呂往き側通路部１２ｂとの間に風呂循環ポンプ３６が設置されている。風呂往き側通路部１２ｂには、水流スイッチ１２ｃと風呂熱利用熱交換器６の２次側熱交換通路部６ｂとが設置されている。
【００３８】
次に、温水暖房回路１３について説明する。
温水暖房回路１３は、床暖房パネルや浴室乾燥機等の温水暖房端末１０に供給される暖房水を循環供給する回路であり、暖房戻り通路部１３ａ、暖房低温往き通路部１３ｂ、暖房高温往き通路部１３ｃを有している。暖房戻り通路部１３ａには、加熱による暖房水の膨張を吸収する為の膨張タンク３７と、暖房水を循環させる為の暖房循環ポンプ３８とが設置されている。暖房高温往き通路部１３ｃには、暖房熱利用熱交換器７の２次側熱交換通路部７ｂが設置されている。暖房低温往き通路部１３ｂには、バイパス熱動弁３９が設置されている。
【００３９】
暖房戻り通路部１３ａと暖房高温往き通路部１３ｃとの間には、８０℃程度の暖房水を循環供給して暖房を行う高温暖房端末１０Ａ（例えば、浴室暖房、ファンコンベクター等）が設けられ、暖房戻り通路部１３ａと暖房低温往き通路部１３ｂとの間には、６０℃程度の暖房水を循環供給して暖房を行う低温暖房端末１０Ｂ（例えば、床暖房、パネルラジエータ等）が設けられている。暖房運転時には、高温暖房端末１０Ａ又は低温暖房端末１０Ｂの単独運転に限らず両方の暖房端末１０を同時に運転可能である。
【００４０】
膨張タンク３７の上部には、暖房補給水電磁弁３７ａが設けられ、この暖房補給水電磁弁３７ａには、給水系通路８の上流給水通路部８ａから分岐された補給水通路部３７ｂが接続されている。暖房補給水電磁弁３７ａが開弁状態に切換った場合には、補給水通路部３７ｂを介して膨張タンク３７に補給水が補給される。膨張タンク３７の上部には、オーバーフロー通路部３７ｃが接続されている。
【００４１】
次に、熱利用循環回路１４について説明する。
熱利用循環回路１４は、湯水を循環させて風呂追焚回路１２と温水暖房回路１３との間で熱交換を行う閉回路であり、湯水往き側通路部１４ａ、風呂熱利用通路部１４ｂ、暖房熱利用通路部１４ｃ、湯水戻り側通路部１４ｄ、補助加熱通路２３の下流加熱通路部２３ｂ、補助熱源機出湯通路２４の上流補助出湯通路部２４ａを有している。風呂熱利用通路部１４ｂに、風呂熱利用熱交換器６の１次側熱交換通路部６ａと風呂熱利用開閉弁４１が設置され、暖房熱利用通路部１４ｃに、暖房熱利用熱交換器７の１次側熱交換通路部７ａと暖房熱利用開閉弁４２が設置されている。
【００４２】
次に、排熱回収循環回路１５について説明する。
排熱回収循環回路１５は、貯湯タンク４と燃料電池発電装置２との間に湯水を循環させて燃料電池発電装置２の排熱を回収する閉回路であり、低温側循環通路部１５ａ、高温側循環通路部１５ｂ等を有し、上流端が貯湯タンク４の下部に接続され、下流端が貯湯タンク４の上部に接続されている。
【００４３】
低温側循環通路部１５ａから高温側循環通路部１５ｂに接続する分岐通路部１５ｃが分岐され、この分岐部には、貯湯タンク４を含めた循環回路と貯湯タンク４をバイパスする循環回路とを択一的に選択可能な三方弁４３が設置されている。燃料電池発電装置２の内部において、低温側循環通路部１５ａには、循環ポンプ（図示略）が設置され、低温側循環通路部１５ａと高温側循環通路部１５ｂとの間には、燃料電池発電装置２の排熱回収部（図示略）が設置されている。
【００４４】
次に、制御ユニット４５について説明する。
給湯暖房装置３は、制御ユニット４５によって制御される。各種のセンサの検出信号が制御ユニット４５に送信され、この制御ユニット４５により、給湯暖房装置３の動作、各種のポンプの作動・停止、各種の弁の開閉状態の切り換え及び開度調整等を制御し、各種運転（給湯運転、湯張り運転、追焚き運転、高温差し湯運転、暖房運転、凍結防止運転、排熱回収運転等）を実行する。
【００４５】
制御ユニット４５は、ユーザーが操作可能な操作リモコン４６との間でデータ通信可能であり、操作リモコン４６のスイッチ操作により各種の運転が設定されると、その指令信号が操作リモコン４６から制御ユニット４５に送信される。例えば、操作リモコン４６のスイッチ操作により目標給湯設定温度が設定されると、その目標給湯設定温度データが操作リモコン４６から制御ユニット４５に送信される。尚、暖房運転を実行する制御ユニット４５が、温水暖房制御手段に相当する。
【００４６】
次に、本発明に関連する暖房運転について説明する。
制御ユニット４５は、暖房運転中に切換え可能な複数のモードを有している。即ち、制御ユニット４５は、温水暖房端末１０の暖房負荷に応じて補助熱源機５の燃焼量を最も効率が良くなるように調整する大燃焼モードによる暖房運転、この大燃焼モードよりも低い燃焼量で湯水を加熱する中燃焼モードによる暖房運転、貯湯タンク４を高温の湯水のバッファとして利用する貯湯タンク蓄放熱モードによる暖房運転を実行可能である。尚、以下では、給湯暖房装置３が暖房運転を単独で実行している場合について説明する。
【００４７】
次に、大燃焼モードついて説明する。
大燃焼モードによる暖房運転時では、制御ユニット４５は、補助熱源機５のバーナーを構成する複数の燃焼段の全て又は大部分を使用して燃焼を行うと共に温水暖房端末１０の暖房負荷に応じて補助熱源機５を比例燃焼制御又はオンオフ燃焼制御する。即ち、温水暖房端末１０の暖房負荷が大きく、湯水温度検出センサ２４ｃで検出される湯水温度と湯水温度検出センサ２３ｅで検出される湯水温度との間に温度差がある場合は、補助熱源機５の燃焼を全て又は大部分の燃焼段を使用した状態で比例燃焼制御し、暖房負荷が低くなった場合は、湯水温度検出センサ２３ｅで検出される湯水温度に応じて補助熱源機５の燃焼をオンオフ燃焼制御する。具体的に、オンオフ燃焼制御では、湯水温度検出センサ２３ｅで検出される湯水温度が例えば４５度以下になると燃焼オンし、湯水温度が例えば６０℃以上になると燃焼オフする。
【００４８】
次に、中燃焼モードについて説明する。
中燃焼モードによる暖房運転時では、制御ユニット４５は、大燃焼モードの燃焼領域よりも狭く且つ非燃焼領域よりも広い燃焼領域に設定すると共に温水暖房端末１０の暖房負荷に応じて補助熱源機５を比例燃焼制御又はオンオフ燃焼制御する。即ち、制御ユニット４５は、複数の燃焼段を燃焼領域が非燃焼領域よりも大きく維持しながら予め設定された割合分（例えば４０％程度）低減して燃焼を行う。具体的に、大燃焼モード時の最小燃焼量でオンオフ燃焼制御しても燃焼量過多になる場合、燃焼段を低減（例えば５段燃焼から３段燃焼に変更等）し、燃焼量を低下した状態で、補助熱源機５の燃焼をオンオフ燃焼制御する。
【００４９】
大燃焼モード及び中燃焼モードによる暖房運転時には、制御ユニット４５は、三方弁３１を下流加熱通路部２３ｂと湯水戻り側通路部１４ｄとの間を接続する状態に切り換え、暖房熱利用開閉弁４２を開弁状態に切り換え、圧送ポンプ２９を駆動する。
【００５０】
すると、図２に示すように、圧送ポンプ２９を介して湯水が、下流加熱通路部２３ｂから補助熱源機５に流入し、補助熱源機５によって加熱された後の高温の湯水が、上流補助出湯通路部２４ａと湯水往き側通路部１４ａとを流れて暖房熱利用通路部１４ｃに送られ、１次側熱交換通路部７ａで暖房水との間で熱交換された湯水は、湯水戻り側通路部１４ｄを通って下流加熱通路部２３ｂに戻される。
【００５１】
次に、貯湯タンク蓄放熱モードについて説明する。
貯湯タンク蓄放熱モードによる暖房運転時では、中燃焼モードの燃焼段数を維持した状態で、オンオフ燃焼制御のオン期間では、補助熱源機５から出力される高温の湯水の一部を貯湯タンク４の上部に戻し、貯湯タンク４の下部から低温の湯水を熱利用循環回路１４に供給することで補助熱源機５に流入する湯水温度を低下させ、オンオフ燃焼制御のオフ期間では、貯湯タンク４の湯水を暖房用熱交換器７に循環供給する。
【００５２】
オンオフ燃焼制御における燃焼オン状態のオン期間では、制御ユニット４５は、タンク水比例弁３２を開弁状態に切換え、三方弁３１を下流加熱通路部２３ｂと湯水戻り側通路部１４ｄとの間を接続する状態のまま維持し、蓄熱切換弁１９を下流給水通路部８ｃとバイパス通路部１７との間を接続する状態に切り換え、圧送ポンプ２９を駆動する。
【００５３】
すると、図３に示すように、補助熱源機５から出力される高温の湯水の一部は、下流補助出湯通路部２４ｂとタンク出湯通路２２とを通って貯湯タンク４の上部に流れ込み、貯湯タンク４の下部から低温の湯水が、下流給水通路部８ｃとバイパス通路部１７とを通って湯水戻り側通路部１４ｄに流れ込む。即ち、燃焼オン状態では、貯湯タンク４に余剰となる熱量を蓄熱することで、補助熱源機５の燃焼量を低下させなくても暖房用熱交換器７に供給される熱量が低減し、貯湯タンク４の下部の低温の湯水を暖房用熱交換器７から戻る湯水に混ぜることで、補助熱源機５に戻される湯水温度が低下するため、燃焼オン状態のオン期間を延長可能になる。
【００５４】
また、オンオフ燃焼制御における燃焼オフ状態のオフ期間では、制御ユニット４５は、タンク水比例弁３２を閉弁状態に切換え、三方弁３１を上流加熱通路部２３ａと下流加熱通路部２３ｂとの間を接続する状態に切り換え、蓄熱切換弁１９を下流給水通路部８ｃとバイパス通路部１７との間を接続する状態のまま維持し、圧送ポンプ２９を駆動する。
【００５５】
すると、図４に示すように、貯湯タンク４の上部の高温の湯水は、上流加熱通路部２３ａと下流加熱通路部２３ｂとを通って、停止状態の補助熱源機５に流入し、補助熱源機５から流出した湯水は、上流補助出湯通路部２４ａと湯水往き側通路部１４ａとを流れて暖房熱利用通路部１４ｃに送られ、１次側熱交換通路部７ａで暖房水との間で熱交換された湯水は、湯水戻り側通路部１４ｄとバイパス通路部１７と下流給水通路部８ｃとを通って貯湯タンク４の下部に戻される。即ち、燃焼オフ状態では、貯湯タンク４に蓄熱された熱量が取り出され、この取り出された熱量が補助熱源機５を経由して暖房用熱交換器７に供給されるため、燃焼オフ状態のオフ期間を延長可能になる。
【００５６】
次に、制御ユニット４５により自動的に実行される、各種のモードに基づく暖房運転制御について、図５のフローチャートに基づいて説明する。尚、図中の符号Ｓｉ（ｉ=１，２，・・）は各ステップを示す。この暖房運転制御の制御プログラムは、制御ユニット４５に予め格納されている。
【００５７】
図５のフローチャートにおいて、この制御が開始されると、最初にＳ１において、操作リモコン４６の入力操作や各種の温度検出センサの検出等に基づいて暖房運転開始条件成立か否かを判定する。暖房運転を開始する為の条件が成立している場合、つまり、Ｓ１の判定がＹｅｓの場合、Ｓ２に移行し、制御ユニット４５は、給湯暖房装置３を大燃焼モードに設定して暖房運転を開始し（図２参照）、Ｓ３に移行する。Ｓ１の判定がＮｏのうちはＳ１を繰り返す。
【００５８】
尚、Ｓ２の大燃焼モードによる暖房運転中に、温水暖房端末１０の暖房負荷が小さくなると、補助熱源機５に戻ってくる湯水温度が徐々に高くなるので、比例燃焼制御の最小燃焼量で湯水を加熱しても燃焼量過多となってしまう。そこで、補助熱源機５の燃焼を比例燃焼制御からオンオフ燃焼制御に切り換え、より低い燃焼量で湯水を加熱する。しかし、オンオフ燃焼制御しても燃焼量過多になると、燃焼オン・燃焼オフを頻繁に繰り返す状態になる。
【００５９】
次に、Ｓ３において、制御ユニット４５は、モード切換条件成立か否かを判定する。設定期間中（例えば１時間）におけるオンオフ燃焼制御のオンオフ回数が設定回数（例えば１２回）を超えた場合、又は、オンオフ燃焼制御の１サイクル時間が設定時間（例えば５分）を下回った場合、つまり、Ｓ３の判定がＹｅｓの場合、Ｓ４に移行して、制御ユニット４５は、暖房運転を大燃焼モードから中燃焼モードに切り換え、Ｓ５に移行する。Ｓ３の判定がＮｏのうちはＳ３を繰り返す。
【００６０】
尚、Ｓ４の中燃焼モードによる暖房運転では、補助熱源機５の燃焼段を低減して湯水を加熱しているが、温水暖房端末１０の暖房負荷が極端に低くなると、燃焼量過多になって再度燃焼オン・燃焼オフを頻繁に繰り返す状態になるので、より低い燃焼量で湯水を加熱する必要が生じるが、補助熱源機５の燃焼段数（燃焼管数）をさらに低減すると熱交換効率が悪化する。そこで、以下に記載するように、貯湯タンク４を補助熱源機５から出力される高温の湯水のバッファとして利用する暖房運転を実行する。
【００６１】
次に、Ｓ５において、制御ユニット４５は、モード切換条件成立か否かを判定する。設定期間中におけるオンオフ燃焼制御のオンオフ回数が設定回数を超えた場合、又は、オンオフ燃焼制御の１サイクルが設定時間を下回った場合、つまり、Ｓ５の判定がＹｅｓの場合、Ｓ６に移行して、制御ユニット４５は、暖房運転を中燃焼モードから貯湯タンク蓄放熱モードに切り換えて実行し、Ｓ７に移行する。Ｓ５の判定がＮｏのうちはＳ５を繰り返す。
【００６２】
次に、Ｓ７において、制御ユニット４５は、所定条件成立か否かを判定する。この所定条件は、温水暖房端末１０の暖房負荷が大きくなって補助熱源機５に流入する湯水温度が低下した場合等である。大燃焼モードに復帰する為の条件が成立している場合、つまり、Ｓ７の判定がＹｅｓの場合、Ｓ２に移行して、制御ユニット４５は、暖房運転を貯湯タンク蓄放熱モードから大燃焼モードに切り換え、Ｓ７の判定がＮｏのうちはＳ７を繰り返す。
【００６３】
次に、本発明の給湯暖房装置３の作用及び効果について説明する。
制御ユニット４５は、設定期間中におけるオンオフ燃焼制御のオンオフ回数が設定回数を超えた場合、又は、オンオフ燃焼制御の１サイクルが設定時間を下回った場合、大燃焼モードから中燃焼モードに切り換えるので、温水暖房端末１０の暖房負荷が低く、オンオフ燃焼制御の１サイクル時間が短くなって燃焼オン・燃焼オフが頻繁に繰り返される状態になる前に、補助熱源機５の燃焼量を自動的に低下させることができる。
【００６４】
従って、補助熱源機５の燃焼量を低下させることで、燃焼オン状態のオン期間を延ばし、オンオフ燃焼制御の１サイクル時間を延ばすことができ、燃焼オン・燃焼オフの繰り返し頻度が低減されるので、補助熱源機５の耐久性の低下を防止すると共に、中燃焼モードでは、大燃焼モードの燃焼領域よりも狭く且つ非燃焼領域よりも広い燃焼領域に設定するので、補助熱源機５の熱交換効率の極端な低下を防止することができる。
【００６５】
また、貯湯タンク蓄放熱モードによる暖房運転時、オンオフ燃焼制御のオン期間では、補助熱源機５から出力される高温の湯水の一部を貯湯タンク４の上部に戻し、貯湯タンク４の下部から低温の湯水を熱利用循環回路１４に供給することで補助熱源機５に流入する湯水温度を低下させるので、補助熱源機５の燃焼量を維持しつつ、燃焼オン状態のオン期間を延ばすことができ、補助熱源機５の燃焼量を極端に低くする必要がないので、安定した燃焼状態を維持することができる。
【００６６】
さらに、貯湯タンク蓄放熱モードによる暖房運転時、オンオフ燃焼制御のオフ期間では、貯湯タンク４の湯水を暖房用熱交換器７に循環供給して暖房運転を行うので、補助熱源機５に流入する湯水温度の急激な低下を防止することで、燃焼オフ状態のオフ期間を延ばすことができる。即ち、中燃焼モードの燃焼段数を維持した状態で、貯湯タンク４を高温の湯水のバッファとして利用することで、オンオフ燃焼制御の１サイクル時間を延ばすことができる。
【００６７】
加えて、制御ユニット４５は、設定期間中におけるオンオフ燃焼制御のオンオフ回数が設定回数を超えた場合、又は、オンオフ燃焼制御の１サイクル時間が設定時間を下回った場合、中燃焼モードから貯湯タンク蓄放熱モードに切り換えるので、中燃焼モードでオンオフ燃焼制御の燃焼オン・燃焼オフが頻繁に繰り返されるようになると、貯湯タンク４を利用して１サイクル時間を延ばす制御を自動的に行える。
【００６８】
次に、前記実施例を部分的に変更した形態について説明する。
［１］前記実施例において、外部熱源機として燃料電池発電装置２について説明したが、これに限定する必要はなく、ガスエンジン等を採用しても良いし、これら以外にも種々の公知なものを採用可能である。
【００６９】
［２］前記実施例において、設定期間、設定回数、設定時間はほんの一例を示したに過ぎず、適宜変更可能である。補助熱源機５の燃焼段の低減割合も同様に、大燃焼モードの燃焼領域より狭く且つ非燃焼領域よりも広くなる燃焼領域を維持して熱交換効率の悪化を防止可能な割合であれば、適宜変更可能である。
【００７０】
［３］その他、当業者であれば、本発明の趣旨を逸脱することなく、前記実施例に種々の変更を付加した形態で実施可能であり、本発明はそのような変更形態を包含するものである。
【符号の説明】
【００７１】
３      給湯暖房装置
４      貯湯タンク
５      補助熱源機
７      暖房用熱交換器
１０    温水暖房端末
１３    温水暖房回路
１４    熱利用循環回路
４５    制御ユニット（温水暖房制御手段）
【図１】
2015158324.tif 000003
【図２】
2015158324.tif 000004
【図３】
2015158324.tif 000005
【図４】
2015158324.tif 000006
【図５】
2015158324.tif 000007